【手続補正書】
【提出日】平成26年2月4日(2014.2.4)
【手続補正１】
【補正対象書類名】特許請求の範囲
【補正対象項目名】全文
【補正方法】変更
【補正の内容】
【特許請求の範囲】
【請求項１】
非ＰＣＰ／非ＡＰ  ＳＴＡの範囲内に存在する第１のクラスタ可能なＰＣＰ／ＡＰを検出する受信機を備え、
第１のＢＳＳは、前記第１のクラスタ可能なＰＣＰ／ＡＰを含み、第２のＢＳＳは、前記非ＰＣＰ／非ＡＰ  ＳＴＡと関連付けられた第２のクラスタ可能なＰＣＰ／ＡＰを含み、
前記第２のクラスタ可能なＰＣＰ／ＡＰへ、前記第２のＢＳＳにおけるクラスタリングの使用を前記第２のクラスタ可能なＰＣＰ／ＡＰが開始する又は継続することを要求することを示すメッセージを、送信する送信機を備え、
前記メッセージは、前記受信機が前記第１のクラスタ可能なＰＣＰ／ＡＰを検出したタイミングを含む
装置。
【請求項２】
前記送信機は、前記非ＰＣＰ／非ＡＰ  ＳＴＡから、前記第１のＢＳＳと前記第２のＢＳＳとが重複していることを示す情報を送信する請求項１に記載の装置。
【請求項３】
前記受信機は、前記第１のクラスタ可能なＰＣＰ／ＡＰからビーコンフレームを受信し、前記ビーコンフレームは、ミリ波ビーコンフレームであり、前記メッセージは、受信された前記ビーコンフレーム内の情報を含む請求項１または２に記載の装置。
【請求項４】
前記メッセージは、クラスタ要求サブフィールドを有するクラスタリポート要素をさらに含み、
前記クラスタ要求サブフィールドは、前記非ＰＣＰ／非ＡＰ  ＳＴＡが前記第２のクラスタ可能なＰＣＰ／ＡＰにＰＣＰ／ＡＰクラスタリングの開始又は継続を要求していることを示すべく１に設定される請求項１から３のいずれか一項に記載の装置。
【請求項５】
前記メッセージは、クラスタリポートサブフィールドを有するクラスタリポート要素をさらに含み、
前記クラスタリポートサブフィールドは、前記非ＰＣＰ／非ＡＰ  ＳＴＡが前記第２のクラスタ可能なＰＣＰ／ＡＰに特定の期間をリスケジュール又は生成することを要求していることを示すべく１に設定される請求項１から４のいずれか一項に記載の装置。
【請求項６】
非ＰＣＰ／非ＡＰ  ＳＴＡの範囲内に存在する第１のクラスタ可能なＰＣＰ／ＡＰを検出する段階を備え、
第１のＢＳＳは、前記第１のクラスタ可能なＰＣＰ／ＡＰを含み、第２のＢＳＳは、前記非ＰＣＰ／非ＡＰ  ＳＴＡと関連付けられた第２のクラスタ可能なＰＣＰ／ＡＰを含み、
前記第２のクラスタ可能なＰＣＰ／ＡＰへ、前記第２のＢＳＳにおけるクラスタリングの使用を前記第２のクラスタ可能なＰＣＰ／ＡＰが開始する又は継続することを要求することを示すメッセージを、送信する段階を備え、
前記メッセージは、前記第１のクラスタ可能なＰＣＰ／ＡＰを検出したタイミングを含む
方法。
【請求項７】
前記非ＰＣＰ／非ＡＰ  ＳＴＡから、前記第１のＢＳＳと前記第２のＢＳＳとが重複していることを示す情報を送信する段階を備える請求項６に記載の方法。
【請求項８】
前記検出する段階は、前記第１のクラスタ可能なＰＣＰ／ＡＰからビーコンフレームを受信する段階を含み、前記ビーコンフレームは、ミリ波ビーコンフレームであり、前記メッセージは、受信された前記ビーコンフレーム内の情報を含む請求項６または７に記載の方法。
【請求項９】
前記メッセージは、クラスタ要求サブフィールドを有するクラスタリポート要素をさらに含み、
前記クラスタ要求サブフィールドは、前記非ＰＣＰ／非ＡＰ  ＳＴＡが前記第２のクラスタ可能なＰＣＰ／ＡＰにＰＣＰ／ＡＰクラスタリングの開始又は継続を要求していることを示すべく１に設定される請求項６から８のいずれか一項に記載の方法。
【請求項１０】
前記メッセージは、クラスタリポートサブフィールドを有するクラスタリポート要素をさらに含み、
前記クラスタリポートサブフィールドは、前記非ＰＣＰ／非ＡＰ  ＳＴＡが前記第２のクラスタ可能なＰＣＰ／ＡＰに特定の期間をリスケジュール又は生成することを要求していることを示すべく１に設定される請求項６から９のいずれか一項に記載の方法。
【請求項１１】
非ＰＣＰ／非ＡＰ  ＳＴＡからメッセージを受信する第１のＰＣＰ／ＡＰの受信機を備え、
前記第１のＰＣＰ／ＡＰは、第１のＢＳＳの一部であり、
前記メッセージは、クラスタ要求サブフィールド又はクラスタリポートサブフィールドを有するクラスタリポート要素を含み、
前記クラスタリポートサブフィールドに１が設定されている場合に、前記受信機は、前記第１のＢＳＳに関連付けられた特定の期間をリスケジュール又は生成し、
前記クラスタリポートサブフィールドに１が設定されている場合に、前記受信機は、前記第１のＢＳＳのクラスタリングの使用を開始又は継続する
装置。
【請求項１２】
前記メッセージは、拡張スケジュール要素をさらに含み、
前記第１のＢＳＳに関連付けられた特定の期間をリスケジュール又は生成すべく、前記受信機は、サービス期間、ビーコン間隔におけるコンテンションベース期間、又はこれらの両方をスケジュールする、若しくは、ビーコン時間を移動させるために前記拡張スケジュール要素の情報を用いる請求項１１に記載の装置。
【請求項１３】
前記クラスタリポート要素は、
受信されたビーコンフレームの拡張スケジュール要素内の対応するフィールド値に設定される拡張スケジュール要素フィールドと、
受信した前記ビーコンフレームのＰＣＰ／ＡＰクラスタリング制御フィールド内の前記対応するフィールド値に設定されるＰＣＰ／ＡＰクラスタリング制御フィールドと、
ビーコンフレーム受信時間を示す基準タイムスタンプフィールドと、
前記クラスタリポート要素に、前記拡張スケジュール要素フィールドが存在する場合に、１に設定されるスケジュール存在サブフィールドと、
前記クラスタリポート要素にＴＳＣＯＮＳＴフィールドが存在する場合に、１に設定されるＴＳＣＯＮＳＴ存在サブフィールドと、
前記非ＰＣＰ／非ＡＰ  ＳＴＡが利用するチャンネルの状態が、干渉を含む不良状態である場合に、第２のＰＣＰ／ＡＰの基本サービスセット（ＢＳＳ）のビーコン間隔（ＢＩ）のターゲットビーコン送信時間（ＴＢＴＴ）を基準として、１つの期間を示すＴＳＣＯＮＳＴフィールドをさらに備える請求項１１または１２に記載の装置。
【手続補正２】
【補正対象書類名】明細書
【補正対象項目名】００５７
【補正方法】変更
【補正の内容】
【００５７】
本明細書に記載された様々な実施形態は、特定の特徴、構造又は特性を含むように記載されているが、本開示の側面又は実施形態の全てが、必ずしもこれら特定の特徴、構造又は特性を含むとは限らない。また、特定の特徴、構造又は特性が、１つの実施形態と関連付けて説明されているが、このような特徴、構造又は特性は、明示的に記載していなくとも、その他の実施形態に関連して含まれていてもよいことは明らかである。様々な変更及び改良が、本明細書に記載される本発明の原理の範囲又は精神の範囲内で可能である。本明細書及び添付の図面は、例示しているのみであると見なされるべきであり、本発明の原理の範囲は、添付の特許請求の範囲によってのみ、決定される。
［項目１］
非ＰＣＰ／非ＡＰ  ＳＴＡの範囲内に存在する第１のクラスタ可能なＰＣＰ／ＡＰを検出する段階と、
前記非ＰＣＰ／非ＡＰ  ＳＴＡと関連付けられた第２のクラスタ可能なＰＣＰ／ＡＰへ、送信干渉を低減すべく前記第２のクラスタ可能なＰＣＰ／ＡＰが前記第２のクラスタ可能なＰＣＰ／ＡＰの基本サービスセット（ＢＳＳ）に関連付けられた特定の期間をリスケジュール又は生成することを要求することを示すメッセージ、及び／又は、前記第２のクラスタ可能なＰＣＰ／ＡＰの前記ＢＳＳにおけるクラスタリングの使用を前記第２のクラスタ可能なＰＣＰ／ＡＰが開始する又は継続することを要求することを示すメッセージを、前記非ＰＣＰ／非ＡＰ  ＳＴＡから送信する段階と
を備える方法。
［項目２］
前記検出する段階は、前記第１のクラスタ可能なＰＣＰ／ＡＰからビーコンフレームを受信する段階を含み、前記ビーコンフレームは、ミリ波ビーコンフレームである項目１に記載の方法。
［項目３］
前記メッセージは、前記検出する段階が実行されたタイミング、受信された前記ビーコンフレーム内の情報、又はこれらの両方を含む項目２に記載の方法。
［項目４］
前記クラスタリングの使用を前記第２のクラスタ可能なＰＣＰ／ＡＰが開始する又は継続することを要求することを示す前記メッセージは、クラスタ要求サブフィールドを含むクラスタリポート要素を含み、前記クラスタ要求サブフィールドに１を設定して、前記第２のクラスタ可能なＰＣＰ／ＡＰがＰＣＰ／ＡＰクラスタリングを開始する又は継続することを前記非ＰＣＰ／非ＡＰ  ＳＴＡが要求していることを示す項目１から３のいずれか一項に記載の方法。
［項目５］
前記クラスタリポート要素を、アナウンスフレーム又は情報応答フレームで、前記第２のクラスタ可能なＰＣＰ／ＡＰに送信する段階をさらに備える項目４に記載の方法。
［項目６］
前記ビーコンフレームが前記第２のクラスタ可能なＰＣＰ／ＡＰから送信されたものであって、前記ビーコンフレームがＰＣＰ／ＡＰクラスタリング制御フィールドを含むか否かを判断することにより、前記非ＰＣＰ／非ＡＰ  ＳＴＡからの前記メッセージを送信するか否かを決定する段階をさらに備える項目２に記載の方法。
［項目７］
前記ＰＣＰ／ＡＰクラスタリング制御フィールド内のクラスタＩＤフィールドの値が、前記第２のクラスタ可能なＰＣＰ／ＡＰのＭＡＣアドレスと異なっているかを判断することにより、前記非ＰＣＰ／非ＡＰ  ＳＴＡからの前記メッセージを送信するか否かを決定する段階をさらに備える項目６に記載の方法。
［項目８］
前記非ＰＣＰ／非ＡＰ  ＳＴＡが、ＰＣＰ／ＡＰとして機能し、前記第２のクラスタ可能なＰＣＰ／ＡＰによってクラスタ可能とされたメンバーＰＣＰ／ＡＰとなる別の同一チャンネル基本サービスセット（ＢＳＳ）を初期化する段階をさらに備える項目１から７のいずれか一項に記載の方法。
［項目９］
前記特定の期間をリスケジュール又は生成することを要求することを示す前記メッセージは、クラスタリポートサブフィールドを有するクラスタリポート要素を含み、
前記クラスタリポートサブフィールドは、前記非ＰＣＰ／非ＡＰ  ＳＴＡが前記第２のクラスタ可能なＰＣＰ／ＡＰに前記特定の期間をリスケジュール又は生成することを要求していることを示すべく１に設定される項目１から３のいずれか一項に記載の方法。
［項目１０］
非ＰＣＰ／非ＡＰ  ＳＴＡの範囲内に存在する第１のクラスタ可能なＰＣＰ／ＡＰを検出する受信機と、
前記非ＰＣＰ／非ＡＰ  ＳＴＡと関連付けられた第２のクラスタ可能なＰＣＰ／ＡＰへ、送信干渉を低減すべく前記第２のクラスタ可能なＰＣＰ／ＡＰが前記第２のクラスタ可能なＰＣＰ／ＡＰの基本サービスセット（ＢＳＳ）に関連付けられた特定の期間をリスケジュール又は生成することを要求することを示すメッセージ、及び／又は、前記第２のクラスタ可能なＰＣＰ／ＡＰの前記ＢＳＳにおけるクラスタリングの使用を前記第２のクラスタ可能なＰＣＰ／ＡＰが開始する又は継続することを要求することを示すメッセージを、前記非ＰＣＰ／非ＡＰ  ＳＴＡから送信する送信機と
を備えた装置。
［項目１１］
前記受信機は、前記第１のクラスタ可能なＰＣＰ／ＡＰからビーコンフレームを受信し、前記ビーコンフレームは、ミリ波ビーコンフレームである項目１０に記載の装置。
［項目１２］
前記メッセージは、前記受信機が前記第１のクラスタ可能なＰＣＰ／ＡＰを検出したタイミング、受信された前記ビーコンフレーム内の情報、又はこれらの両方を含む項目１１に記載の装置。
［項目１３］
前記クラスタリングの使用を前記第２のクラスタ可能なＰＣＰ／ＡＰが開始する又は継続することを要求することを示す前記メッセージは、クラスタ要求サブフィールドを有するクラスタリポート要素を含み、
前記クラスタ要求サブフィールドは、前記非ＰＣＰ／非ＡＰ  ＳＴＡが前記第２のクラスタ可能なＰＣＰ／ＡＰにＰＣＰ／ＡＰクラスタリングの開始又は継続を要求していることを示すべく１に設定される項目１０から１２のいずれか一項に記載の装置。
［項目１４］
前記ビーコンフレームが前記第２のクラスタ可能なＰＣＰ／ＡＰから送信されたものであるかを判断することにより、前記非ＰＣＰ／非ＡＰ  ＳＴＡからの前記メッセージを送信するか否かを決定するコントローラをさらに備える項目１１に記載の装置。
［項目１５］
前記ビーコンフレームがＰＣＰ／ＡＰクラスタリング制御フィールドを含むかを判断することにより、前記非ＰＣＰ／非ＡＰ  ＳＴＡからの前記メッセージを送信するか否かを決定するコントローラをさらに備える項目１１に記載の装置。
［項目１６］
前記コントローラは、前記ＰＣＰ／ＡＰクラスタリング制御フィールド内のクラスタＩＤフィールドの値が、前記第２のクラスタ可能なＰＣＰ／ＡＰのＭＡＣアドレスと異なっているかを判断することにより、前記非ＰＣＰ／非ＡＰ  ＳＴＡからの前記メッセージを送信するか否かを決定する項目１５に記載の装置。
［項目１７］
前記特定の期間をリスケジュール又は生成することを要求することを示す前記メッセージは、クラスタリポートサブフィールドを有するクラスタリポート要素を含み、
前記クラスタリポートサブフィールドは、前記非ＰＣＰ／非ＡＰ  ＳＴＡが前記第２のクラスタ可能なＰＣＰ／ＡＰに前記特定の期間をリスケジュール又は生成することを要求していることを示すべく１に設定される項目１０から１６のいずれか一項に記載の装置。
［項目１８］
送信干渉を低減すべく第１のＰＣＰ／ＡＰの基本サービスセット（ＢＳＳ）に関連付けられた特定の期間をリスケジュール又は生成することを要求すること、及び／又は、前記第１のＰＣＰ／ＡＰの前記ＢＳＳにおけるクラスタリングを可能とする又は継続することを要求することを示す、関連付けられた非ＰＣＰ／非ＡＰ  ＳＴＡからの要求メッセージを、前記第１のＰＣＰ／ＡＰで受信する段階を備え、
前記第１のＰＣＰ／ＡＰは、前記第１のＰＣＰ／ＡＰの前記ＢＳＳの近傍で動作する第２のＰＣＰ／ＡＰの基本サービスセット（ＢＳＳ）のメンバーでない方法。
［項目１９］
サービス期間、ビーコン間隔におけるコンテンションベース期間、又はこれらの両方をスケジュールする、若しくは、ビーコン時間を移動させるために、前記第２のＰＣＰ／ＡＰから拡張スケジュール要素を受信する段階をさらに備え、
前記特定の期間をリスケジュール又は生成することを要求することは、受信した前記拡張スケジュール要素に基づく項目１８に記載の方法。
［項目２０］
前記ビーコン間隔の特定の期間に、送信が行われるのを防ぐために、予め定められたソース及び送信先が割り当てられたアソシエーション識別子（ＡＩＤ）で、前記ビーコン間隔にサービス期間を生成する段階をさらに含む項目１９に記載の方法。
［項目２１］
前記要求メッセージを受信する段階は、
アナウンスフレーム又は情報応答フレームにおいて、クラスタリポート要素を前記非ＰＣＰ／非ＡＰ  ＳＴＡから受信する段階を含み、
前記方法は、
前記特定の期間をリスケジュール又は生成する前記要求として、前記クラスタリポート要素のクラスタリポートサブフィールドが１に設定されているかを判断する段階と、
前記第１のＰＣＰ／ＡＰの前記ＢＳＳにおけるクラスタリングを可能とする又は継続する前記要求として、前記クラスタリポート要素のクラスタ要求サブフィールドが１に設定されているかを判断する段階とをさらに備える項目１８から２０のいずれか一項に記載の方法。
［項目２２］
前記クラスタリポート要素は、受信されたビーコンフレームの拡張スケジュール要素内の対応するフィールド値に設定される拡張スケジュール要素フィールドを含む項目２１に記載の方法。
［項目２３］
前記クラスタリポート要素は、
受信したビーコンフレームのＰＣＰ／ＡＰクラスタリング制御フィールド内の前記対応するフィールド値に設定されるＰＣＰ／ＡＰクラスタリング制御フィールドと、
ビーコンフレーム受信時間を示す基準タイムスタンプフィールドと、
前記クラスタリポート要素に、前記拡張スケジュール要素フィールドが存在する場合に、１に設定されるスケジュール存在サブフィールドと、
前記クラスタリポート要素にＴＳＣＯＮＳＴフィールドが存在する場合に、１に設定されるＴＳＣＯＮＳＴ存在サブフィールドと、
前記非ＰＣＰ／非ＡＰ  ＳＴＡが利用するチャンネルの状態が、干渉を含む不良状態である場合に、前記第２のＰＣＰ／ＡＰの前記基本サービスセット（ＢＳＳ）のビーコン間隔（ＢＩ）のターゲットビーコン送信時間（ＴＢＴＴ）を基準として、１つの期間を示すＴＳＣＯＮＳＴフィールドとをさらに備える項目２２に記載の方法。
［項目２４］
前記クラスタリポートサブフィールドに１が設定されている前記クラスタリポート要素を、前記非ＰＣＰ／非ＡＰ  ＳＴＡから受信した場合に、サービス期間及びコンテンションベース期間をビーコン間隔（ＢＩ）にスケジュールする段階をさらに備える項目２１に記載の方法。
［項目２５］
前記クラスタリポートサブフィールドに１が設定されている前記クラスタリポート要素を、前記非ＰＣＰ／非ＡＰ  ＳＴＡから受信すると、ビーコン間隔（ＢＩ）における特定の期間に、送信が行われるのを防ぐために、予め定められた値が設定されたソース及び送信先が割り当てられたアソシエーション識別子（ＡＩＤ）で、サービス期間（ＳＰ）を前記ビーコン間隔（ＢＩ）に生成する段階をさらに備える項目２１に記載の方法。
［項目２６］
前記クラスタ要求サブフィールドに１が設定されている前記クラスタリポート要素を、前記非ＰＣＰ／非ＡＰ  ＳＴＡから受信すると、前記第１のＰＣＰ／ＡＰの前記ＢＳＳにおけるクラスタを生成又は保持する段階をさらに備える項目２１に記載の方法。
［項目２７］
前記第１のＰＣＰ／ＡＰのビーコンフレームの最小の継続時間を、所定の時間間隔と等しく設定する段階をさらに備える項目１８から２６のいずれか一項に記載の方法。
［項目２８］
送信干渉を低減すべく第１のＰＣＰ／ＡＰの基本サービスセット（ＢＳＳ）に関連付けられた特定の期間をリスケジュール又は生成することを要求すること、及び／又は、前記第１のＰＣＰ／ＡＰの前記ＢＳＳにおけるクラスタリングの使用を開始する又は継続することを要求することを示す、要求メッセージを、非ＰＣＰ／非ＡＰ  ＳＴＡから受信する第１のＰＣＰ／ＡＰの受信機を備え、
前記第１のＰＣＰ／ＡＰは、前記第１のＰＣＰ／ＡＰの前記ＢＳＳの近傍で動作する第２のＰＣＰ／ＡＰの基本サービスセット（ＢＳＳ）のメンバーでない装置。
［項目２９］
前記受信機は、サービス期間、コンテンションベース期間又はその両方をビーコン間隔（ＢＩ）にスケジュールする、及び／又はビーコン時間を移動させるために、拡張スケジュール要素を前記第２のＰＣＰ／ＡＰから受信し、前記特定の期間をリスケジュール又は生成することを要求することは、受信した前記拡張スケジュール要素に基づく項目２８に記載の装置。
［項目３０］
ビーコン間隔における特定の期間に、送信が行われるのを防ぐために、予め定められたソース及び送信先が割り当てられたアソシエーション識別子（ＡＩＤ）で、サービス期間をビーコン間隔に生成するコントローラをさらに備える項目２８または２９に記載の装置。
［項目３１］
前記要求メッセージは、前記非ＰＣＰ／非ＡＰ  ＳＴＡからアナウンスフレーム又は情報応答フレームにおけるクラスタリポート要素を含み、
前記受信機は、
前記特定の期間をリスケジュール又は生成する前記要求として、前記クラスタリポート要素のクラスタリポートサブフィールドが１に設定されているかを判断し、
前記第１のＰＣＰ／ＡＰの前記ＢＳＳにおけるクラスタリングを可能とする又は継続する前記要求として、前記クラスタリポート要素のクラスタ要求サブフィールドが１に設定されているかを判断する項目２８から３０のいずれか一項に記載の装置。
［項目３２］
前記クラスタリポート要素は、
受信されたビーコンフレームの拡張スケジュール要素内の対応するフィールド値に設定される拡張スケジュール要素フィールドと、
受信した前記ビーコンフレームのＰＣＰ／ＡＰクラスタリング制御フィールド内の前記対応するフィールド値に設定されるＰＣＰ／ＡＰクラスタリング制御フィールドと、
ビーコンフレーム受信時間を示す基準タイムスタンプフィールドと、
前記クラスタリポート要素に、前記拡張スケジュール要素フィールドが存在する場合に、１に設定されるスケジュール存在サブフィールドと、
前記クラスタリポート要素にＴＳＣＯＮＳＴフィールドが存在する場合に、１に設定されるＴＳＣＯＮＳＴ存在サブフィールドと、
前記非ＰＣＰ／非ＡＰ  ＳＴＡが利用するチャンネルの状態が、干渉を含む不良状態である場合に、前記第２のＰＣＰ／ＡＰの前記基本サービスセット（ＢＳＳ）のビーコン間隔（ＢＩ）のターゲットビーコン送信時間（ＴＢＴＴ）を基準として、１つの期間を示すＴＳＣＯＮＳＴフィールドをさらに備える項目３１に記載の装置。